(57)【要約】      （修正有）【課題】到着した容器内の試料水がどの水質分析対象設備で採取した分析対象水かを精度よく管理することができる管理システム及び管理方法を提供する。【解決手段】水質分析対象設備２の設備識別情報ＢＣ１と、水質分析対象設備２が保有する分析対象水を試料水として採取するための容器３の容器識別情報ＢＣ２と、を読み取る第１読取部１１と、第１読取部１１により読み取った設備識別情報ＢＣ１と容器識別情報ＢＣ２とを関連付けてメモリに記録する記録部１３と、を備えた試料水の管理システム１。【選択図】図１
2019174277.tif 000002
【特許請求の範囲】
【請求項１】
水質分析対象設備の設備識別情報と、前記水質分析対象設備が保有する分析対象水を試料水として採取するための容器の容器識別情報と、を読み取る第１読取部と、
当該第１読取部により読み取った前記設備識別情報と前記容器識別情報とを関連付けてメモリに記録する記録部と、を備えたことを特徴とする試料水の管理システム。
【請求項２】
前記記録部は、前記設備識別情報または前記容器識別情報を読み取った日時、あるいは、前記設備識別情報と前記容器識別情報とを関連付けて前記メモリに記録した日時を前記試料水の採取日時として、前記設備識別情報及び前記容器識別情報と関連付けて前記メモリに記録することを特徴とする請求項１に記載の試料水の管理システム。
【請求項３】
前記メモリが前記設備識別情報に関連する設備関連情報を予め保持し、
当該設備関連情報を前記容器識別情報と関連付けて前記メモリに記録することを特徴とする請求項１または請求項２に記載の試料水の管理システム。
【請求項４】
前記設備関連情報が前記水質分析対象設備毎の前記試料水の採取期限を含み、
当該採取期限を超過しても前記第１読取部による前記設備識別情報及び前記容器識別情報の読み取りを確認できないときに、前記採取期限の超過を報知する第１報知機能を備えたことを特徴とする請求項３に記載の試料水の管理システム。
【請求項５】
前記容器識別情報を読み取る第２読取部を備え、
前記設備関連情報が、前記第１読取部による前記設備識別情報及び前記容器識別情報の読み取りから前記第２読取部による前記容器識別情報の読み取りまでの期間を定めた前記試料水の到着期限を含んでおり、
前記第１読取部による読み取り以降、前記到着期限を超過しても前記第２読取部による前記容器識別情報の読み取りが確認できないときに、前記到着期限の超過を報知する第２報知機能を備えたことを特徴とする請求項３または請求項４に記載の試料水の管理システム。
【請求項６】
水質分析対象設備の設備識別情報と、前記水質分析対象設備が保有する分析対象水を試料水として採取するための容器の容器識別情報と、を第１読取部により読み取る工程と、
当該第１読取部により読み取った前記設備識別情報及び前記容器識別情報を関連付けてメモリに記録する工程と、を順次有することを特徴とする試料水の管理方法。
【発明の詳細な説明】
【技術分野】
【０００１】
本発明は、試料水の管理システム及び試料水の管理方法に関する。
【背景技術】
【０００２】
飲食物製造用水の処理、ボイラ水処理、冷却水処理、排水処理、浴槽水管理、鉄鋼製造工程水処理、紙・パルプ製造工程水処理、レジオネラ属菌対策など、様々な水の管理や処理が行われている。このような水の管理や処理を担当、あるいは、その補助を行う事業者は、定期的にあるいは不定期的にこれら水を試料水として容器に採取し、その容器を分析センタなどの分析担当部署に送付し、分析担当部署で分析することにより、水の管理や処理が適切かどうかを確認している。
【０００３】
具体的には、事業者の採取担当者が、分析対象水を保有する水質分析対象設備を有する分析依頼者の施設に出向き、その水質分析対象設備から試料水をサンプリング（採取）する。採取担当者は、サンプリング時に容器に、水質分析対象設備の設備関連情報や採取日時を記録したラベルを貼付した後、分析担当部署に送付している。
【発明の概要】
【発明が解決しようとする課題】
【０００４】
しかしながら、水の管理や処理関連分野では一般に、１人の採取担当者が担当する水質分析対象設備が非常に多く、このため、試料水を収容する容器に貼付するラベルを取り違えたり、ラベルに必要情報を記載し忘れたりする恐れがあった。
【０００５】
本発明は、以上の課題を解決する、到着した容器内の試料水がどの水質分析対象設備で採取した試料かを精度よく管理することができる試料水の管理システム及び試料水の管理方法を提供することを目的としている。
【課題を解決するための手段】
【０００６】
上述した課題を解決するためになされた、
（１）第１の発明は、水質分析対象設備の設備識別情報と、前記水質分析対象設備が保有する分析対象水を試料水として採取するための容器の容器識別情報と、を読み取る第１読取部と、当該第１読取部により読み取った前記設備識別情報と前記容器識別情報とを関連付けてメモリに記録する記録部と、を備えた試料水の管理システムである。
【０００７】
（２）第２の発明は、上記の第１の発明の構成に加え、前記記録部は、前記設備識別情報または前記容器識別情報を読み取った日時、あるいは、前記設備識別情報と前記容器識別情報とを関連付けて前記メモリに記録した日時を前記試料水の採取日時として、前記設備識別情報及び前記容器識別情報と関連付けて前記メモリに記録する試料水の管理システムである。
【０００８】
（３）第３の発明は、上記の第１の発明または第２の発明の構成に加え、前記メモリが前記設備識別情報に関連する設備関連情報を予め保持し、当該設備関連情報を前記容器識別情報と関連付けて前記メモリに記録する試料水の管理システムである。
【０００９】
（４）第４の発明は、上記の第３の発明の構成に加え、前記設備関連情報が前記水質分析対象設備毎の前記試料水の採取期限を含み、当該採取期限を超過しても前記第１読取部による前記設備識別情報及び前記容器識別情報の読み取りを確認できないときに、前記採取期限の超過を報知する第１報知機能を備えた試料水の管理システムである。
【００１０】
（５）第５の発明は、上記の第３の発明または第４の発明の構成に加え、前記容器識別情報を読み取る第２読取部を備え、前記設備関連情報が、前記第１読取部による前記設備識別情報及び前記容器識別情報の読み取りから前記第２読取部による前記容器識別情報の読み取りまでの期間を定めた前記試料水の到着期限を含んでおり、前記第１読取部による読み取り以降、前記到着期限を超過しても前記第２読取部による前記容器識別情報の読み取りが確認できないときに、前記到着期限の超過を報知する第２報知機能を備えた試料水の管理システムである。
【００１１】
（６）第６の発明は、水質分析対象設備の設備識別情報と、前記水質分析対象設備が保有する分析対象水を試料水として採取するための容器の容器識別情報と、を第１読取部により読み取る工程と、当該第１読取部により読み取った前記設備識別情報及び前記容器識別情報を関連付けてメモリに記録する工程と、を順次有する試料水の管理方法である。
【発明の効果】
【００１２】
上記の第１の発明、及び、第６の発明によれば、採取担当者が試料水の採取時に第１読取部を用いて、水質分析対象設備の設備識別情報と容器の容器識別情報とを読み取ると、これら情報を関連付けてメモリに記録する。このことにより、容器の容器識別情報から設備識別情報を知ることが可能となるので、分析担当部署で、到着した容器内の試料水がどの水質分析対象設備から採取したものかを精度よく知ることが可能となる。
【００１３】
また、上記の第２の発明によれば、記録部は、設備識別情報または容器識別情報を読み取った日時、あるいは、設備識別情報と容器識別情報とを関連付けてメモリに記録した日時を試料水の採取日時として、設備識別情報及び容器識別情報と関連付けてメモリに記録する構成とすることにより、試料水の採取日時も確実に管理することが可能となる。
【００１４】
また、上記の第３の発明によれば、メモリが設備識別情報に関連する設備関連情報を予め保持し、設備関連情報を容器識別情報と関連付けてメモリに記録する構成により、例えば、水質分析対象設備を所有する分析依頼者の名称、依頼者住所、試料水の採取期限、試料水の分析担当部署への到着期限、分析項目、採取担当者名、採取頻度、試料名、当該設備で過去に行った水質分析結果等の設備関連情報を容器識別情報とともに一括管理することが可能となり、容器の容器識別情報を読み取ることで設備関連情報を容易に呼び出すことが可能となる。
【００１５】
また、上記の第４の発明によれば、設備関連情報が水質分析対象設備毎の試料水の採取期限を含み、採取期限を超過しても第１読取部による設備識別情報及び容器識別情報の読み取りを確認できないときに、採取期限の超過を報知する第１報知機能を備えた構成により、試料水の採取忘れによる分析漏れを防止することが可能となる。
【００１６】
また、上記の第５の発明によれば、容器識別情報を読み取る第２読取部を備え、設備関連情報が、第１読取部による設備識別情報及び容器識別情報の読み取りから第２読取部による容器識別情報の読み取りまでの期間を定めた試料水の到着期限を含んでおり、第１読取による読み取り以降、到着期限を超過しても第２読取部による容器識別情報の読み取りが確認できないときに、到着期限の超過を報知する第２報知機能を備えた構成により、採取担当者の、試料水の分析担当部署への送付忘れによる分析漏れを防止することが可能となる。
【図面の簡単な説明】
【００１７】
【図１】本発明の試料水の管理システムの一実施形態を示す図である。
【図２】図１に示す試料水の管理システムの動作を説明するためのフローチャートである。
【発明を実施するための形態】
【００１８】
以下、本発明の一実施形態を、図１、図２、及び、表１に基づいて説明する。本実施形態の試料水の管理システム１は、水質分析対象設備２内の分析対象水の分析を行うためのシステムである。水質分析対象設備２は、分析依頼者（顧客）がその施設内に有しており、そして、水質分析対象設備２は分析対象の水を保有している。
【００１９】
また、水質分析対象設備２には、その設備識別情報（以下、「識別情報」を「ＩＤ」と記載する）の識別タグ（識別用標識）としてのバーコードＢＣ１が貼付してある。なお、以下、識別タグとしてバーコード（二次元バーコードを含む）を用いた例について説明するが、本発明の管理方法では識別タグはバーコードに限定されない。すなわち、識別タグとしては、識別情報を付すことができ、それを読み取ることができるものであればよく、このようなものとしてＲＦＩＤタグ等を挙げることができる。
【００２０】
水質分析対象設備２内の分析対象水を試料水として採取する。試料水の分析は、水質分析対象設備２とは別の場所にある、事業者の分析担当部署で行われる。このため、事業者は採取に先立って採取担当者に試料水採取用の容器３を配布するともに水質分析対象設備２を有する施設に派遣する。採取担当者は水質分析対象設備２内の分析対象水をポリエチレンやポリプロピレンなどの樹脂製のボトル（所謂ポリ瓶）あるいは必要に応じてガラス瓶などの容器３に試料水として採取し、分析担当部署に送付する。
【００２１】
この容器３には容器ＩＤの識別タグとしてのバーコードＢＣ２が予め貼付してある。なお、この例ではバーコードは容器３に予め貼付してあるが、試料水の採取の前または後にバーコードの記載があるシールを容器３に貼付してもよく、あるいは、例えばインクジェットプリンタなどによりバーコードを直接印刷した容器を用いてもよい。
【００２２】
次に、本実施形態の管理システム１の構成について説明する。管理システム１は、試料水を容器３に採取する採取担当者が持ち運べる第１読取部としての第１バーコードリーダ１１及び携帯端末１２と、事業者が所有するホストコンピュータ１３と、分析担当部署にある第２読取部としての第２バーコードリーダ１４及びパーソナルコンピュータ（以下、「ＰＣ」と略記）１５と、を有している。
【００２３】
第１バーコードリーダ１１は、水質分析対象設備２や容器３に貼付してあるバーコードＢＣ１、ＢＣ２を読み取ることができる周知のバーコードリーダである。携帯端末１２と第１バーコードリーダ１１とは、この例ではケーブルにより接続しているが、無線通信や光通信で接続していてもよい。なお、図１には、第１バーコードリーダ１１及び携帯端末１２がそれぞれ２つ記載してあるが、これは１台の第１バーコードリーダ１１を用いて水質分析対象設備２及び容器３のバーコードＢＣ１、ＢＣ２をそれぞれ読み取っている様子を示している。なお、この例では第１バーコードリーダ１１と携帯端末１２とは別々の装置となっているが、バーコードリーダが内蔵されている携帯端末を用いることもでき、その場合も本発明に含まれる。
【００２４】
携帯端末１２は、例えば携帯電話通信網４やインターネット網５あるいは専用回線を介してホストコンピュータ１３と無線通信を行い、第１バーコードリーダ１１が読み取った水質分析対象設備２の設備ＩＤ（以下、単に「設備ＩＤ」）、容器ＩＤ及びこれらの読み取り日時（即ち、採取日時）をホストコンピュータ１３に送信する。携帯端末１２は、例えばスマートフォンやタブレットなどの汎用品でもよいし、専用品であってもよい。なお、採取日時としてはバーコードＢＣ１またはＢＣ２の読み取り日時、あるいは、設備識別情報及び容器識別情報を関連付けてメモリに記録した日時としてもよい。
【００２５】
ホストコンピュータ１３は、ＲＯＭ、ＲＡＭ、ＣＰＵを有する周知のコンピュータである。ホストコンピュータ１３は、携帯電話通信網４やインターネット網５を介して携帯端末１２と通信を行い、携帯端末１２が送信する設備ＩＤ及び容器ＩＤや採取日時を受信する。このホストコンピュータ１３は図示しないメモリを有し、下表１に例示するように、携帯端末１２が送信した設備ＩＤ、容器ＩＤ、採取日時、及び、ホストコンピュータ１３のメモリに、予め記録しておいた設備関連情報を関連付けて（ペアリング）、メモリに記録する。
【００２６】
【表１】
2019174277.tif 000003
【００２７】
ここで設備関連情報は、水質分析対象設備２毎に設備ＩＤに関連付けた情報であり、例えば、分析項目、採取担当者名、採取頻度、試料水の採取期限、試料名、水質分析対象設備２を所有する分析依頼者の名称、依頼者住所、当該設備で過去に行った水質分析結果、及び、試料水の分析担当部署への到着期限などであり、上記の関連付けにより、容器ＩＤの入力によるホストコンピュータ１３内のこれら情報の閲覧や印刷が可能となる。なお、これらの設備関連情報により、例えば月初に採取担当者毎にその月の試料採取リストを作成するようにしてもよい。また、その際に互いに近い水質分析対象設備の設置場所毎にまとめて試料水採取スケジュールを作成し、採取担当者の便を図るようにしてもよい。
【００２８】
第２バーコードリーダ１４は、この例では分析担当部署や試料水の受け入れ部署等にある、容器３に貼付したバーコードＢＣ２を読み取ることができる周知のバーコードリーダである。ＰＣ１５は、ＲＯＭ、ＲＡＭ、ＣＰＵを有する周知のコンピュータである。このＰＣ１５には、第２バーコードリーダ１４が接続している。ＰＣ１５は、例えば社内ＬＡＮ６を介して上記のホストコンピュータ１３と通信を行うことができる。
【００２９】
次に、上述した構成の管理システム１の動作の一例について図２のフローチャートを参照して説明する。まず、採取担当者は、分析依頼者の施設に出向き、携帯端末１２を操作して、サンプリングアプリケーションを立ち上げる。サンプリングアプリケーションを立ち上げると、携帯端末１２は、表示画面に例えば「水質分析対象設備のバーコードを読み取って下さい」と表示する（ステップＳ１０）。この表示に従って採取担当者が第１バーコードリーダ１１を用いて、この例では水質分析対象設備２に予め貼付してあるバーコードＢＣ１を読み取ることで、携帯端末１２に設備ＩＤの入力が終了する。なお、バーコードＢＣ１は水質分析対象設備２に貼付してある必要はなく、紐やチェーンなどによって水質分析対象設備２付近から容易に移動できないようにしてあってもよい。
【００３０】
携帯端末１２は設備ＩＤの入力終了後（ステップＳ１１で「はい」）、表示画面を切り替えて「容器のバーコードを読み取って下さい」と表示する（ステップＳ１２）。この表示に従って採取担当者は所持している容器３のバーコードＢＣ２を読み取ると、携帯端末１２に容器ＩＤの入力が終了する。携帯端末１２は、容器ＩＤの入力終了後（ステップＳ１３で「はい」）、設備ＩＤ及び容器ＩＤとともにそのときの日時を、水質分析対象設備２の分析対象水を試料水として採取した採取日時としてホストコンピュータ１３に送信する（ステップＳ１４）。なお、携帯端末１２による各ＩＤの入力の督促する表示は省略することができる。
【００３１】
採取担当者による試料水の採取は、これら２つのバーコードの読み取りの前でも、後でも、あるいは、一方のバーコードの読み取り後    に行ってもよいが、エラーが生じないよう予め手順を決めておくことが好ましい。なお、エラー発生防止のためにバーコードの読み取り及び試料水の採取の手順を携帯端末１２に表示することもできる。
【００３２】
また、上述した実施形態では、携帯端末１２は、水質分析対象設備２、容器３の順にバーコードＢＣ１、ＢＣ２の読み取りを指示しているが、この順に限ったものではなく、容器３、水質分析対象設備２の順にバーコードＢＣ２、ＢＣ１の読み取りを指示するようにしてもよい。ここで、一定の順番でこれらＩＤの読み取るようにすることが、容器の取り間違え等のエラーを減少することができるので好ましいが、例えば、１ヶ所の水質分析対象設備で経時的に複数回、試料水の採取を行う等、必要に応じて設備ＩＤを複数回連続して読み取るようにしてもよい。この場合、エラー発生防止のために携帯端末１２の表示の点滅、報知音などで、通常の読み取りでないことを示すことが好ましい。
【００３３】
なお、水質分析対象設備２の設置場所によっては、これら設備ＩＤ、容器ＩＤ及び採取日時を直ちにホストコンピュータ１３に送信できない場合も想定される。このため、送信可能な状況に回復したときにこれらデータを送信するように管理システムを設計してもよい。この場合、自動送信とするか、携帯端末１２の表示装置に未送信のデータが残っている旨の表示が出るようにしておき、採取担当者が携帯端末１２を操作して送るか、あるいは、容器ＩＤ及び設備ＩＤの読み取りの後に、常時、または、定期的あるいは不定期的に報知表示や報知音が鳴るなどして、データの未送信を知らせるようにすることが好ましい。
【００３４】
なお、図２には記載していないが、ホストコンピュータ１３に設備ＩＤ、容器ＩＤ及び採取日時を送信した後に、採取担当者が携帯端末１２を操作してホストコンピュータ１３に要求することで、後述する設備関連情報を参照するようにしてもよく、さらに、試料水の分析終了後には分析結果を参照できるようにしてもよい。
【００３５】
採取担当者は、このようにバーコードＢＣ１、ＢＣ２の読み取り、試料水の採取を終えた後に、採取した試料水を収容する容器３を分析担当部署へ発送する。
【００３６】
試料水の採取管理やその送付管理、及び、各種データの管理を行うホストコンピュータ１３は、携帯端末１２からの設備ＩＤ、容器ＩＤ及び採取日時の受信を試料水の採取期限まで待ち（ステップＳ２０及びステップＳ２１）、試料水の採取期限を超過後にも携帯端末１２から受信がない場合には、採取担当者に対して採取期限の超過を「試料水が採取されていません（採取忘れ）」として通知する（ステップＳ２２）。このようにホストコンピュータ１３は採取期限の超過を報知する第１報知機能を備えている。
【００３７】
この通知は、例えば管理部署及び／または採取担当者やその上司などの管理者が所属する事業所や営業所にある図示しないＰＣや端末等に対して行い、その画面に表示させるようにしても、また、携帯端末１２の表示画面に表示するようにしてもよく、これらから選ばれる複数の画面に表示させることとしてもよい。なお、この通知は、試料水毎に行ってもよいが、例えば週毎、あるいは月毎等にまとめて行ってもよい。
【００３８】
ホストコンピュータ１３は、携帯端末１２からの設備ＩＤ、容器ＩＤ及び採取日時を受信すると（ステップＳ２０での「はい」）、記録部として機能し、表１に示すように、設備ＩＤ、容器ＩＤ、採取日時及び設備関連情報（以下、これらをまとめて「設備関連情報等」とも云う）を関連付けてメモリに記録する（ステップＳ２３）。
【００３９】
その後、ホストコンピュータ１３は後述するように、試料水を収容する容器３が分析担当部署に到着し、そのＰＣ１５の第２バーコードリーダ１４により容器ＩＤを読み取るまで待機する（ステップＳ２４及びステップＳ２５）。また、ホストコンピュータ１３は採取担当者による第１バーコードリーダ１１でのバーコードＢＣ１、ＢＣ２の読み取り日時（採取日時）から分析担当部署での第２バーコードリーダ１４による容器３のバーコードＢＣ２の読み取りによる容器の到着確認までの期間を定めた、試料水の到着期限を超過しても、第２バーコードリーダ１４による容器３のバーコードＢＣ２の読み取りが確認できないときに（ステップＳ２５の「はい」）、到着期限の超過を通知する第２報知機能により、携帯端末１２に対してその表示画面に「容器を送付していません（送付忘れ）」の表示を指示し、到着期限の超過を報知する（ステップＳ２６）。なお、この通知は携帯端末１２の代わりに、例えば、管理部署や採取担当者及び／またはその上司などの管理者が所属する事業所や営業所にある図示しないＰＣや端末等に対して行うこともでき、また、これらから選ばれる複数の画面に対して行ってもよい。このようにホストコンピュータ１３は到着期限の超過を報知する第２報知機能を有する。
【００４０】
一方、分析担当部署の分析担当者はＰＣ１５を操作して分析関連アプリケーションを立ち上げる。ＰＣ１５はその表示画面に「容器のバーコードを読み取って下さい」と表示し（ステップＳ３０）、その入力を待つ（ステップＳ３１）。
【００４１】
分析担当者がこの表示に従い第２バーコードリーダ１４を用いて、分析担当部署に到着した容器３のバーコードＢＣ２を読み取ると、ＰＣ１５は分析担当部署に容器３が到着したことをホストコンピュータ１３に送信し（ステップＳ３２）、ホストコンピュータ１３からの分析項目を含む設備関連情報等の受信を待つ（ステップＳ３３）。
【００４２】
ステップＳ２４及びステップＳ２５で待機していたホストコンピュータ１３はＰＣ１５からの容器ＩＤを受信してステップＳ２７に進み、容器ＩＤに関連する、分析項目を含む設備関連情報等を分析担当部署のＰＣに送信したのち、分析結果を受信するまで待機する（ステップＳ２８）。
【００４３】
一方、ステップＳ３３で待機していたＰＣ１５はホストコンピュータ１３からの、分析項目を含む設備関連情報等を受けてそれらの必要項目をその画面に表示及び／または印刷して分析担当者に通知する。分析担当者はこの設備関連情報等の分析項目に従って容器３内の試料水の分析を行い（ステップＳ３４）、その結果をＰＣ１５に入力する。
【００４４】
ここで、ＰＣ１５から設備関連情報等を、ＣＰＵ、ＲＯＭ、ＲＡＭ等を備え、通信機能を有する分析機器に送り、その分析結果を分析機器から直接、ＰＣ１５に送信できるようにしてもよい。
【００４５】
ＰＣ１５は得られた分析結果をホストコンピュータ１３に送信する（ステップＳ３５）。ホストコンピュータ１３は分析結果を受信するとそれを設備ＩＤに関連付けてメモリに保存する（ステップＳ２９）。
【００４６】
なお、試料水の分析終了後、通常、容器３を洗浄し、再度試料水の採取に用いるので、エラー発生防止のためにその容器ＩＤとそれ以外の情報との関連付けを解消しておくことが好ましい。関連付けの解消はホストコンピュータ１３による分析結果の記録（ステップＳ２９）直後に行ってもよいが、容器３内の試料水の再分析に対応できるようにステップＳ２９終了後、例えば７日や１０日などの適当な期間の経過後に行うか、あるいは、次回の試料水採取時の容器３の容器ＩＤの読み取りによる、ホストコンピュータ１３が装置ＩＤと容器ＩＤとを関連付けて記録するステップＳ２３に先立って行ってもよい。
【００４７】
上述した管理システム１によれば、採取担当者が試料水の採取時に第１バーコードリーダ１１を用いて、バーコードＢＣ１、ＢＣ２を読み取るだけで、ホストコンピュータ１３のメモリに設備ＩＤ及び容器ＩＤを関連付けて記録できる。これにより、容器ＩＤに関連付けた設備ＩＤを知ることができるので、分析担当部署では到着した容器３がどの水質分析対象設備から採取した試料水かを精度よく知ることができる。
【００４８】
また、上述した試料水の管理システム１によれば、容器ＩＤに採取日時も関連付けて記憶できるので、どの日時に採取したかを管理することができる。事業者としては、採取担当者がいつ採取したか、採取担当者が１日に何本採取したのかを知ることができ、採取担当者の行動管理を行うこともできる。
【００４９】
また、上述したホストコンピュータ１３は、試料水の採取忘れ、容器３の送付忘れを報知する報知処理も実行している。ホストコンピュータ１３のメモリには、上述したように設備ＩＤに対応したサンプリング頻度のデータがあり、ホストコンピュータ１３は、サンプリング頻度から求めた採取期限をメモリに記録する。ホストコンピュータ１３は、携帯端末１２から設備ＩＤ、容器ＩＤ及び採取日時を受信すると、メモリ内の今回の採取期限をリセットし、サンプリング頻度から次回の採取期限を求めてメモリに記録する。
【００５０】
ホストコンピュータ１３は、この採取期限を過ぎても、携帯端末１２から設備ＩＤ及び容器ＩＤを受信できないと、採取忘れと判断する。そして、ホストコンピュータ１３は、第１報知部として働き、採取期限の超過、すなわち、採取忘れの旨を報知する採取忘れ報知信号に設備関連情報を付して例えば携帯端末１２や図示しないＰＣ等に送信する。携帯端末１２やＰＣは、採取忘れ報知信号を受信すると、設備関連情報とともに採取忘れの旨を表示画面などに表示して採取担当者等に報知する。これにより、採取担当者の採取忘れによる分析漏れの防止が可能となる。
【００５１】
また、ホストコンピュータ１３は、携帯端末１２から設備ＩＤ及び容器ＩＤを受信した後、分析担当部署への到着期限を超過しても分析担当部署のＰＣ１５からその容器ＩＤの受信ができなかった場合、到着期限の超過、即ち容器３の送付忘れと判断する。そして、ホストコンピュータ１３は、第２報知部として働き、送付忘れの旨を報知する送付忘れ報知信号に設備関連情報を付して、例えば携帯端末１２や図示しないＰＣ等に送信する。携帯端末１２やＰＣは送付忘れ報知信号を受信すると、設備関連情報とともに送付忘れの旨を表示画面などに表示して採取担当者等に報知する。これにより、採取担当者の送付忘れによる分析漏れの防止が可能となる。
【００５２】
また、上述した実施形態によれば、ホストコンピュータ１３は、携帯端末１２から送信される、設備ＩＤあるいは容器ＩＤを読み取った日時を、試料水を採取した採取日時として設備ＩＤ、容器ＩＤ、設備関連情報に関連付けて記録していたがこれに限ったものではない。例えばホストコンピュータ１３が設備ＩＤ、容器ＩＤを受信しこれらを関連付けてメモリに記録する日時を採取日時としてこれら設備ＩＤ及び容器ＩＤと関連付けて記録してもよい。
【００５３】
また、上述した実施形態によれば、試料水の採取忘れ、容器３の送付忘れを報知していたが、これに限ったものではない。試料水の採取忘れ、容器３の送付忘れの報知は必須ではないし、それらとは別の報知機能を有していても構わない。
【００５４】
また、設備ＩＤを読み取ることで、いつでも設備関連情報を呼び出せるようにすることもでき、この機能により当該設備の過去の水質分析結果を現場で容易に確認することが可能となる。このとき、グラフ表示とすることで経時変化に対する理解を容易なものとすることができる。
【００５５】
なお、本発明は上記実施形態に限定されるものではない。即ち、本発明の骨子を逸脱しない範囲で種々変形して実施することができる。
【符号の説明】
【００５６】
１  管理システム
２  水質分析対象設備
３  容器
１１  第１バーコードリーダ（第１読取部）
１３  ホストコンピュータ（記録部）
１４  第２バーコードリーダ(第２読取部)
ＢＣ１  バーコード（識別タグ）
ＢＣ２  バーコード（識別タグ）
【図１】
2019174277.tif 000004
【図２】
2019174277.tif 000005